(57)【要約】【課題】  キー、手書き入力及びマウス等の複数の操作モードを提供するキーと手書き機能を整合させた容量結合方式タッチパッドの提供。【解決手段】  タッチパッドの具備するパネルが複数のエリアに画定され、その上に複数の操作モードに対応する複数のパターンが印刷され、これらパターンが複数の操作モード間の切り換えに供されるモード切り換えスイッチを具え、キーモード下で、これらパターンが複数のキーパターンを具えてキーボードをエミュレートし、手書きモード下で、これら複数のエリアが手書き入力に供される手書き識別エリアを具え、マウスモード下で、これら複数のエリアがカーソル動作エリアと水平及び垂直スクロールバーを具えている。【選択図】        図１
2004310732.tif 000002
【特許請求の範囲】
【請求項１】
手指或いは導体の接触による入力に供されるパネルを具え、該パネルに容量結合方式タッチパッドをキー入力モードと手書き入力モードの間で切り換えるのに供されるモード切り換えスイッチパターンが設けられ、該パネルに該キー入力モードと該手書き入力モードに対応する複数のエリアが画定され、該複数のエリアに位置する複数のパターンが設けられてキー入力モードと手書き入力モード下での操作に供されるよう形成されたことを特徴とする、キーと手書き機能を整合させた容量結合方式タッチパッド。
【請求項２】
請求項１記載のキーと手書き機能を整合させた容量結合方式タッチパッドにおいて、モード切り換えスイッチパターンが容量結合方式タッチパッドのマウス入力モードへの切り換えに供されることを特徴とする、キーと手書き機能を整合させた容量結合方式タッチパッド。
【請求項３】
請求項１記載のキーと手書き機能を整合させた容量結合方式タッチパッドにおいて、パネルより入力されたデータの表示を行なうディスプレイを具えたことを特徴とする、キーと手書き機能を整合させた容量結合方式タッチパッド。
【請求項４】
請求項１記載のキーと手書き機能を整合させた容量結合方式タッチパッドにおいて、パネルが絶縁板と基板に配置された導体回路を具え、該基板はプリント回路板、薄膜、及び透明基板からなる群より選択されることを特徴とする、キーと手書き機能を整合させた容量結合方式タッチパッド。
【請求項５】
請求項４記載のキーと手書き機能を整合させた容量結合方式タッチパッドにおいて、導体回路がＩＴＯで構成されたことを特徴とする、キーと手書き機能を整合させた容量結合方式タッチパッド。
【請求項６】
請求項４記載のキーと手書き機能を整合させた容量結合方式タッチパッドにおいて、絶縁板が透光とされたことを特徴とする、キーと手書き機能を整合させた容量結合方式タッチパッド。
【請求項７】
請求項１記載のキーと手書き機能を整合させた容量結合方式タッチパッドにおいて、バックライト装置がパネル付近に設置されて該パネルに照明を提供することを特徴とする、キーと手書き機能を整合させた容量結合方式タッチパッド。
【請求項８】
請求項１記載のキーと手書き機能を整合させた容量結合方式タッチパッドにおいて、手書き入力モード下で手書き認識を行なう筆跡認識モジュールを具えたことを特徴とする、キーと手書き機能を整合させた容量結合方式タッチパッド。
【請求項９】
請求項１記載のキーと手書き機能を整合させた容量結合方式タッチパッドにおいて、パネルに接触した手指の数を認識する手指認識モジュールを具えたことを特徴とする、キーと手書き機能を整合させた容量結合方式タッチパッド。
【請求項１０】
請求項１記載のキーと手書き機能を整合させた容量結合方式タッチパッドにおいて、複数のパターンが電話キーボードパターンを具えたことを特徴とする、キーと手書き機能を整合させた容量結合方式タッチパッド。
【請求項１１】
携帯電話において、該携帯電話に容量結合方式タッチパッドが設けられ、該容量結合方式タッチパッドは手指或いは導体の接触による入力に供されるパネルを具え、該パネルに容量結合方式タッチパッドをキー入力モードと手書き入力モードの間で切り換えるのに供されるモード切り換えスイッチパターンが設けられ、該パネルに該キー入力モードと該手書き入力モードに対応する複数のエリアが画定され、該複数のエリアに位置する複数のパターンが設けられてキー入力モードと手書き入力モード下での操作に供されるよう形成されたことを特徴とする、携帯電話。
【請求項１２】
請求項１１記載の携帯電話において、モード切り換えスイッチパターンが容量結合方式タッチパッドのマウス入力モードへの切り換えに供されることを特徴とする、携帯電話。
【請求項１３】
請求項１１記載の携帯電話において、パネルより入力されたデータの表示を行なうディスプレイを具えたことを特徴とする、携帯電話。
【請求項１４】
請求項１１記載の携帯電話において、パネルが絶縁板と基板に配置された導体回路を具え、該基板はプリント回路板、薄膜、及び透明基板からなる群より選択されることを特徴とする、携帯電話。
【請求項１５】
請求項１４記載の携帯電話において、導体回路がＩＴＯで構成されたことを特徴とする、携帯電話。
【請求項１６】
請求項１４記載の携帯電話において、絶縁板が透光とされたことを特徴とする、携帯電話。
【請求項１７】
請求項１１記載の携帯電話において、バックライト装置がパネル付近に設置されて該パネルに照明を提供することを特徴とする、携帯電話。
【請求項１８】
請求項１１記載の携帯電話において、手書き入力モード下で手書き認識を行なう筆跡認識モジュールを具えたことを特徴とする、携帯電話。
【請求項１９】
請求項１１記載の携帯電話において、パネルに接触した手指の数を認識する手指認識モジュールを具えたことを特徴とする、携帯電話。
【請求項２０】
請求項１１記載の携帯電話において、複数のパターンが電話キーボードパターンを具えたことを特徴とする、携帯電話。
【請求項２１】
手指或いは導体の接触による入力に供されるパネルを具え、該パネルに容量結合方式タッチパッドをキー入力モードとマウス入力モードの間で切り換えるのに供されるモード切り換えスイッチパターンが設けられ、該パネルに該キー入力モードと該マウス入力モードに対応する複数のエリアが画定され、該複数のエリアに位置する複数のパターンが設けられてキー入力モードとマウス入力モード下での操作に供されるよう形成されたことを特徴とする、キーとマウス機能を整合させた容量結合方式タッチパッド。
【請求項２２】
請求項２１記載のキーとマウス機能を整合させた容量結合方式タッチパッドにおいて、モード切り換えスイッチパターンが容量結合方式タッチパッドの手書き入力モードへの切り換えに供されることを特徴とする、キーとマウス機能を整合させた容量結合方式タッチパッド。
【請求項２３】
請求項２１記載のキーとマウス機能を整合させた容量結合方式タッチパッドにおいて、パネルより入力されたデータの表示を行なうディスプレイを具えたことを特徴とする、キーとマウス機能を整合させた容量結合方式タッチパッド。
【請求項２４】
請求項２１記載のキーとマウス機能を整合させた容量結合方式タッチパッドにおいて、パネルが絶縁板と基板に配置された導体回路を具え、該基板はプリント回路板、薄膜、及び透明基板からなる群より選択されることを特徴とする、キーとマウス機能を整合させた容量結合方式タッチパッド。
【請求項２５】
請求項２４記載のキーとマウス機能を整合させた容量結合方式タッチパッドにおいて、導体回路がＩＴＯで構成されたことを特徴とする、キーとマウス機能を整合させた容量結合方式タッチパッド。
【請求項２６】
請求項２４記載のキーとマウス機能を整合させた容量結合方式タッチパッドにおいて、絶縁板が透光とされたことを特徴とする、キーとマウス機能を整合させた容量結合方式タッチパッド。
【請求項２７】
請求項２１記載のキーとマウス機能を整合させた容量結合方式タッチパッドにおいて、バックライト装置がパネル付近に設置されて該パネルに照明を提供することを特徴とする、キーとマウス機能を整合させた容量結合方式タッチパッド。
【請求項２８】
請求項２１記載のキーとマウス機能を整合させた容量結合方式タッチパッドにおいて、手書き入力モード下で手書き認識を行なう筆跡認識モジュールを具えたことを特徴とする、キーとマウス機能を整合させた容量結合方式タッチパッド。
【請求項２９】
請求項２１記載のキーとマウス機能を整合させた容量結合方式タッチパッドにおいて、パネルに接触した手指の数を認識する手指認識モジュールを具えたことを特徴とする、キーとマウス機能を整合させた容量結合方式タッチパッド。
【請求項３０】
請求項２１記載のキーとマウス機能を整合させた容量結合方式タッチパッドにおいて、複数のパターンが電話キーボードパターンを具えたことを特徴とする、キーとマウス機能を整合させた容量結合方式タッチパッド。
【請求項３１】
手指或いは導体の接触による入力に供されるパネルを具え、該パネルに容量結合方式タッチパッドをマウス入力モードと手書き入力モードの間で切り換えるのに供されるモード切り換えスイッチパターンが設けられ、該パネルに該マウス入力モードと該手書き入力モードに対応する複数のエリアが画定され、該複数のエリアに位置する複数のパターンが設けられてマウス入力モードと手書き入力モード下での操作に供されるよう形成されたことを特徴とする、マウスと手書き機能を整合させた容量結合方式タッチパッド。
【請求項３２】
請求項３１記載のマウスと手書き機能を整合させた容量結合方式タッチパッドにおいて、モード切り換えスイッチパターンが容量結合方式タッチパッドのキー入力モードへの切り換えに供されることを特徴とする、マウスと手書き機能を整合させた容量結合方式タッチパッド。
【請求項３３】
請求項３１記載のマウスと手書き機能を整合させた容量結合方式タッチパッドにおいて、パネルより入力されたデータの表示を行なうディスプレイを具えたことを特徴とする、マウスと手書き機能を整合させた容量結合方式タッチパッド。
【請求項３４】
請求項３１記載のマウスと手書き機能を整合させた容量結合方式タッチパッドにおいて、パネルが絶縁板と基板に配置された導体回路を具え、該基板はプリント回路板、薄膜、及び透明基板からなる群より選択されることを特徴とする、マウスと手書き機能を整合させた容量結合方式タッチパッド。
【請求項３５】
請求項３４記載のマウスと手書き機能を整合させた容量結合方式タッチパッドにおいて、導体回路がＩＴＯで構成されたことを特徴とする、マウスと手書き機能を整合させた容量結合方式タッチパッド。
【請求項３６】
請求項３４記載のマウスと手書き機能を整合させた容量結合方式タッチパッドにおいて、絶縁板が透光とされたことを特徴とする、マウスと手書き機能を整合させた容量結合方式タッチパッド。
【請求項３７】
請求項３１記載のマウスと手書き機能を整合させた容量結合方式タッチパッドにおいて、バックライト装置がパネル付近に設置されて該パネルに照明を提供することを特徴とする、マウスと手書き機能を整合させた容量結合方式タッチパッド。
【請求項３８】
請求項３１記載のマウスと手書き機能を整合させた容量結合方式タッチパッドにおいて、手書き入力モード下で手書き認識を行なう筆跡認識モジュールを具えたことを特徴とする、マウスと手書き機能を整合させた容量結合方式タッチパッド。
【請求項３９】
請求項３１記載のマウスと手書き機能を整合させた容量結合方式タッチパッドにおいて、パネルに接触した手指の数を認識する手指認識モジュールを具えたことを特徴とする、マウスと手書き機能を整合させた容量結合方式タッチパッド。
【請求項４０】
請求項３１記載のマウスと手書き機能を整合させた容量結合方式タッチパッドにおいて、複数のパターンが電話キーボードパターンを具えたことを特徴とする、マウスと手書き機能を整合させた容量結合方式タッチパッド。
【発明の詳細な説明】
【技術分野】
【０００１】
本発明は一種の容量結合方式タッチパッドに係り、特にキーと手書き機能を整合させた容量結合方式タッチパッドに関する。
【背景技術】
【０００２】
タッチパッドは広く知られており且つ電子製品に広く用いられている。タッチパッドは簡単で手軽で且つ低廉な指示装置を提供し、立ちエバノートブック型パソコンのタッチパッドはマウスの機能を提供する。図５は容量結合方式タッチパッドの操作原理表示図であり、それは最上層の絶縁板（図示せず）、接地板（Ｇｒｏｕｎｄ  Ｐｌａｔｅ）３６、Ｙ軸トレース（Ｔｒａｃｅ）３８、Ｘ軸トレース４０を具え、接地板３６、Ｙ軸トレース３８、Ｘ軸トレース４０はいずれも制御回路４６に接続されている。Ｙ軸トレース３８と接地板３６の間には等価容量４４が存在する。手指或いは導体がパネルに接触する時、制御回路４６が容量の変化により手指或いは導体の接触位置を判断し、並びに適当な処理を行なう。
【０００３】
既知のタッチパッドは抵抗膜式、電磁式及び容量結合方式の三種類があり、容量結合方式タッチスクリーンは既にオンライン可能な公衆電話或いは公共情報端末に広く応用されている。しかし手書き入力機能は具備しない。抵抗膜式タッチスクリーンはＰＤＡ或いは電子辞書等に応用されているが、使用者が手指で接触して入力することはできない。現在のタブレット型ＰＣ或いは電子書物等には手書き認識とキー入力機能を整合させたタッチパッドが配置されているが、一般には抵抗膜式或いは電磁式とされる。抵抗膜式のタッチパッドの操作時には入力点を集中させる必要があり、電磁式タッチパッドは電池を具えた入力ペンで入力する必要がある。
【０００４】
性能とコストに関しては、容量結合方式タッチパッドは明らかに抵抗膜式及び電磁式タッチパッドより優れている。容量結合方式タッチパッドの作業原理は使用者の手指或いは導体がタッチパッドに接触した瞬間に発生する容量効果を利用し、これにより容量の変化により手指或いは導体の位置を確定することにある。これにより、容量結合方式タッチパッドは電磁式タッチパッドと異なり電源を消耗する入力ペンが不要で、並びに容量結合方式タッチパッドの使用は抵抗膜式タッチパッドと異なり入力点を集中させる必要がなく、このため使用寿命が長い。さらに容量結合方式タッチパッドの組成は簡単で、部品が少なく、製品の歩留りが高く、容量結合方式タッチパッドの大量生産時の製造コストは比較的低い。
【０００５】
以上から分かるように、容量結合方式タッチパッドは多くの長所を有しているが、容量結合方式タッチパッドにキーボード及び手書き等の入力機能を整合させれば、もう一種類の製造コストが低廉で、使用に更に便利な入力インタフェースを提供できる。
【発明の開示】
【発明が解決しようとする課題】
【０００６】
本発明は一種のキーと手書き機能を整合させた容量結合方式タッチパッドを提供することにある。
【０００７】
本発明の容量結合方式タッチパッドは、キー、手書き入力及びマウス等の複数の操作モードを提供するキーと手書き機能を整合させた容量結合方式タッチパッドであり、タッチパッドの具備するパネルが複数のエリアに画定され、その上に複数の操作モードに対応する複数のパターンが印刷され、これらパターンが複数の操作モード間の切り換えに供されるモード切り換えスイッチを具え、キーモード下で、これらパターンが複数のキーパターンを具えてキーボードをエミュレートし、手書きモード下で、これら複数のエリアが手書き入力に供される手書き認識エリアを具え、マウスモード下で、これら複数のエリアがカーソル動作エリアと水平及び垂直スクロールバーを具えている。
【課題を解決するための手段】
【０００８】
請求項１の発明は、手指或いは導体の接触による入力に供されるパネルを具え、該パネルに容量結合方式タッチパッドをキー入力モードと手書き入力モードの間で切り換えるのに供されるモード切り換えスイッチパターンが設けられ、該パネルに該キー入力モードと該手書き入力モードに対応する複数のエリアが画定され、該複数のエリアに位置する複数のパターンが設けられてキー入力モードと手書き入力モード下での操作に供されるよう形成されたことを特徴とする、キーと手書き機能を整合させた容量結合方式タッチパッドとしている。
請求項２の発明は、請求項１記載のキーと手書き機能を整合させた容量結合方式タッチパッドにおいて、モード切り換えスイッチパターンが容量結合方式タッチパッドのマウス入力モードへの切り換えに供されることを特徴とする、キーと手書き機能を整合させた容量結合方式タッチパッドとしている。
請求項３の発明は、請求項１記載のキーと手書き機能を整合させた容量結合方式タッチパッドにおいて、パネルより入力されたデータの表示を行なうディスプレイを具えたことを特徴とする、キーと手書き機能を整合させた容量結合方式タッチパッドとしている。
請求項４の発明は、請求項１記載のキーと手書き機能を整合させた容量結合方式タッチパッドにおいて、パネルが絶縁板と基板に配置された導体回路を具え、該基板はプリント回路板、薄膜、及び透明基板からなる群より選択されることを特徴とする、キーと手書き機能を整合させた容量結合方式タッチパッドとしている。
請求項５の発明は、請求項４記載のキーと手書き機能を整合させた容量結合方式タッチパッドにおいて、導体回路がＩＴＯで構成されたことを特徴とする、キーと手書き機能を整合させた容量結合方式タッチパッドとしている。
請求項６の発明は、請求項４記載のキーと手書き機能を整合させた容量結合方式タッチパッドにおいて、絶縁板が透光とされたことを特徴とする、キーと手書き機能を整合させた容量結合方式タッチパッドとしている。
請求項７の発明は、請求項１記載のキーと手書き機能を整合させた容量結合方式タッチパッドにおいて、バックライト装置がパネル付近に設置されて該パネルに照明を提供することを特徴とする、キーと手書き機能を整合させた容量結合方式タッチパッドとしている。
請求項８の発明は、請求項１記載のキーと手書き機能を整合させた容量結合方式タッチパッドにおいて、手書き入力モード下で手書き認識を行なう筆跡認識モジュールを具えたことを特徴とする、キーと手書き機能を整合させた容量結合方式タッチパッドとしている。
請求項９の発明は、請求項１記載のキーと手書き機能を整合させた容量結合方式タッチパッドにおいて、パネルに接触した手指の数を認識する手指認識モジュールを具えたことを特徴とする、キーと手書き機能を整合させた容量結合方式タッチパッドとしている。
請求項１０の発明は、請求項１記載のキーと手書き機能を整合させた容量結合方式タッチパッドにおいて、複数のパターンが電話キーボードパターンを具えたことを特徴とする、キーと手書き機能を整合させた容量結合方式タッチパッドとしている。
請求項１１の発明は、携帯電話において、該携帯電話に容量結合方式タッチパッドが設けられ、該容量結合方式タッチパッドは手指或いは導体の接触による入力に供されるパネルを具え、該パネルに容量結合方式タッチパッドをキー入力モードと手書き入力モードの間で切り換えるのに供されるモード切り換えスイッチパターンが設けられ、該パネルに該キー入力モードと該手書き入力モードに対応する複数のエリアが画定され、該複数のエリアに位置する複数のパターンが設けられてキー入力モードと手書き入力モード下での操作に供されるよう形成されたことを特徴とする、携帯電話としている。
請求項１２の発明は、請求項１１記載の携帯電話において、モード切り換えスイッチパターンが容量結合方式タッチパッドのマウス入力モードへの切り換えに供されることを特徴とする、携帯電話としている。
請求項１３の発明は、請求項１１記載の携帯電話において、パネルより入力されたデータの表示を行なうディスプレイを具えたことを特徴とする、携帯電話としている。
請求項１４の発明は、請求項１１記載の携帯電話において、パネルが絶縁板と基板に配置された導体回路を具え、該基板はプリント回路板、薄膜、及び透明基板からなる群より選択されることを特徴とする、携帯電話としている。
請求項１５の発明は、請求項１４記載の携帯電話において、導体回路がＩＴＯで構成されたことを特徴とする、携帯電話としている。
請求項１６の発明は、請求項１４記載の携帯電話において、絶縁板が透光とされたことを特徴とする、携帯電話としている。
請求項１７の発明は、請求項１１記載の携帯電話において、バックライト装置がパネル付近に設置されて該パネルに照明を提供することを特徴とする、携帯電話としている。
請求項１８の発明は、請求項１１記載の携帯電話において、手書き入力モード下で手書き認識を行なう筆跡認識モジュールを具えたことを特徴とする、携帯電話としている。
請求項１９の発明は、請求項１１記載の携帯電話において、パネルに接触した手指の数を認識する手指認識モジュールを具えたことを特徴とする、携帯電話としている。
請求項２０の発明は、請求項１１記載の携帯電話において、複数のパターンが電話キーボードパターンを具えたことを特徴とする、携帯電話としている。
請求項２１の発明は、手指或いは導体の接触による入力に供されるパネルを具え、該パネルに容量結合方式タッチパッドをキー入力モードとマウス入力モードの間で切り換えるのに供されるモード切り換えスイッチパターンが設けられ、該パネルに該キー入力モードと該マウス入力モードに対応する複数のエリアが画定され、該複数のエリアに位置する複数のパターンが設けられてキー入力モードとマウス入力モード下での操作に供されるよう形成されたことを特徴とする、キーとマウス機能を整合させた容量結合方式タッチパッドとしている。
請求項２２の発明は、請求項２１記載のキーとマウス機能を整合させた容量結合方式タッチパッドにおいて、モード切り換えスイッチパターンが容量結合方式タッチパッドの手書き入力モードへの切り換えに供されることを特徴とする、キーとマウス機能を整合させた容量結合方式タッチパッドとしている。
請求項２３の発明は、請求項２１記載のキーとマウス機能を整合させた容量結合方式タッチパッドにおいて、パネルより入力されたデータの表示を行なうディスプレイを具えたことを特徴とする、キーとマウス機能を整合させた容量結合方式タッチパッドとしている。
請求項２４の発明は、請求項２１記載のキーとマウス機能を整合させた容量結合方式タッチパッドにおいて、パネルが絶縁板と基板に配置された導体回路を具え、該基板はプリント回路板、薄膜、及び透明基板からなる群より選択されることを特徴とする、キーとマウス機能を整合させた容量結合方式タッチパッドとしている。
請求項２５の発明は、請求項２４記載のキーとマウス機能を整合させた容量結合方式タッチパッドにおいて、導体回路がＩＴＯで構成されたことを特徴とする、キーとマウス機能を整合させた容量結合方式タッチパッドとしている。
請求項２６の発明は、請求項２４記載のキーとマウス機能を整合させた容量結合方式タッチパッドにおいて、絶縁板が透光とされたことを特徴とする、キーとマウス機能を整合させた容量結合方式タッチパッドとしている。
請求項２７の発明は、請求項２１記載のキーとマウス機能を整合させた容量結合方式タッチパッドにおいて、バックライト装置がパネル付近に設置されて該パネルに照明を提供することを特徴とする、キーとマウス機能を整合させた容量結合方式タッチパッドとしている。
請求項２８の発明は、請求項２１記載のキーとマウス機能を整合させた容量結合方式タッチパッドにおいて、手書き入力モード下で手書き認識を行なう筆跡認識モジュールを具えたことを特徴とする、キーとマウス機能を整合させた容量結合方式タッチパッドとしている。
請求項２９の発明は、請求項２１記載のキーとマウス機能を整合させた容量結合方式タッチパッドにおいて、パネルに接触した手指の数を認識する手指認識モジュールを具えたことを特徴とする、キーとマウス機能を整合させた容量結合方式タッチパッドとしている。
請求項３０の発明は、請求項２１記載のキーとマウス機能を整合させた容量結合方式タッチパッドにおいて、複数のパターンが電話キーボードパターンを具えたことを特徴とする、キーとマウス機能を整合させた容量結合方式タッチパッドとしている。
請求項３１の発明は、手指或いは導体の接触による入力に供されるパネルを具え、該パネルに容量結合方式タッチパッドをマウス入力モードと手書き入力モードの間で切り換えるのに供されるモード切り換えスイッチパターンが設けられ、該パネルに該マウス入力モードと該手書き入力モードに対応する複数のエリアが画定され、該複数のエリアに位置する複数のパターンが設けられてマウス入力モードと手書き入力モード下での操作に供されるよう形成されたことを特徴とする、マウスと手書き機能を整合させた容量結合方式タッチパッドとしている。
請求項３２の発明は、請求項３１記載のマウスと手書き機能を整合させた容量結合方式タッチパッドにおいて、モード切り換えスイッチパターンが容量結合方式タッチパッドのキー入力モードへの切り換えに供されることを特徴とする、マウスと手書き機能を整合させた容量結合方式タッチパッドとしている。
請求項３３の発明は、請求項３１記載のマウスと手書き機能を整合させた容量結合方式タッチパッドにおいて、パネルより入力されたデータの表示を行なうディスプレイを具えたことを特徴とする、マウスと手書き機能を整合させた容量結合方式タッチパッドとしている。
請求項３４の発明は、請求項３１記載のマウスと手書き機能を整合させた容量結合方式タッチパッドにおいて、パネルが絶縁板と基板に配置された導体回路を具え、該基板はプリント回路板、薄膜、及び透明基板からなる群より選択されることを特徴とする、マウスと手書き機能を整合させた容量結合方式タッチパッドとしている。
請求項３５の発明は、請求項３４記載のマウスと手書き機能を整合させた容量結合方式タッチパッドにおいて、導体回路がＩＴＯで構成されたことを特徴とする、マウスと手書き機能を整合させた容量結合方式タッチパッドとしている。
請求項３６の発明は、請求項３４記載のマウスと手書き機能を整合させた容量結合方式タッチパッドにおいて、絶縁板が透光とされたことを特徴とする、マウスと手書き機能を整合させた容量結合方式タッチパッドとしている。
請求項３７の発明は、請求項３１記載のマウスと手書き機能を整合させた容量結合方式タッチパッドにおいて、バックライト装置がパネル付近に設置されて該パネルに照明を提供することを特徴とする、マウスと手書き機能を整合させた容量結合方式タッチパッドとしている。
請求項３８の発明は、請求項３１記載のマウスと手書き機能を整合させた容量結合方式タッチパッドにおいて、手書き入力モード下で手書き認識を行なう筆跡認識モジュールを具えたことを特徴とする、マウスと手書き機能を整合させた容量結合方式タッチパッドとしている。
請求項３９の発明は、請求項３１記載のマウスと手書き機能を整合させた容量結合方式タッチパッドにおいて、パネルに接触した手指の数を認識する手指認識モジュールを具えたことを特徴とする、マウスと手書き機能を整合させた容量結合方式タッチパッドとしている。
請求項４０の発明は、請求項３１記載のマウスと手書き機能を整合させた容量結合方式タッチパッドにおいて、複数のパターンが電話キーボードパターンを具えたことを特徴とする、マウスと手書き機能を整合させた容量結合方式タッチパッドとしている。
【発明の効果】
【０００９】
本発明はキー及び文字入力を同時に必要とする装置、例えば携帯電話、オンライン可能な公衆電話、コンピュータキーボード、ＰＤＡ、情報家電（ＩＡ）及び電子辞書等の装置に応用される場合、その長所は更に明らかとなる。特に、携帯電話に応用されると、携帯電話の入力機能が大幅に向上され、且つ厚さを薄くすることができ、伝統的な携帯電話のキーモジュールに較べ、製造コストも更に便宜である。
【発明を実施するための最良の形態】
【００１０】
図１は本発明の実施例を示す。タッチパッド１０はパネル１２を具えて手指或いは導体の接触による入力に供され、モード切り換えスイッチパターン１４がパネル１２に設けられて接触により容量結合方式タッチパッド１０をキー、手書き入力及びマウスモード間で切り換えるのに供される。仮想キーエリア１６、１８及び２０がそれぞれパネル１２上に画定され、及びディスプレイ２２が仮想キーエリア１６、１８及び２０により入力されたデータを表示する。容量結合方式タッチパッドを熟知する者であれば分かるように、パネル１２の構造は、表面の絶縁板と底の基板に配置された導体回路を具え、該導体回路は金属或いはその他の導電材料、例えばＩＴＯで形成される。基板はプリント回路板、薄膜、或いは透明基板とされる。パネルのハードウエア構造は本発明の主要な特徴ではないため、詳しい説明は省略する。
【００１１】
タッチパッド１０がキーモードに切り換えられた時、仮想キーエリア１６の数字キー、♯キー、＊キーパターン、仮想キーエリア１８のダイアル、更正及び上下方向等の機能キーパターン、及び仮想キーエリア２０の回復、リダイアル、及び保留等の機能キーパターンは符号２４に示されるようである。符号２４の示す配置は電話の入力装置とされる。使用者はダイアルしたい電話番号を入力でき、入力した電話番号は対応するソフトウエア或いはハードウエアに処理された後にディスプレイ２２に表示される。
【００１２】
タッチパッド１０が手書き入力モードに切り換えられた時、仮想キーエリア１６、２０は手書き認識エリアとされ、仮想キーエリア１８の入力、更正、字型及び文字選択機能キーパターンと組み合わされ、これは符号２６に示されるとおりである。このような配置により手書き入力機能を提供する。使用者は手書き認識エリアにあって手指或いは導体で書くことができ、対応する対応するソフトウエア或いはハードウエア（例えば筆跡認識モジュール）で処理された後に手書き入力の結果、例えば軌跡或いは文字、符号等がディスプレイ２２に表示される。
【００１３】
タッチパッド１０がマウスモードに切り換えられた時、仮想キーエリア１６はカーソル動作エリアとされ、使用者はこのエリアでカーソルの動作を制御でき、仮想キーエリア１８は垂直スクロール軸となり、仮想キーエリア２０は水平スクロール軸となり、図１中のタッチパッドのパターン配置２８に示されるようであり、そのうち、仮想キーエリア１８及び２０の提供する垂直及び水平スクロール軸はマウスで縦向き或いは横向きにウインドウをスクロールする機能を模擬する。その機能はＭｉｃｒｏｓｏｆｔ（登録商標）  Ｏｆｆｉｃｅ文書処理ソフト中の縦向きと横向きのスクロール軸に近い。このほか、手指認識モジュールを設けて、パネル１２に接触する手指の数を認識し、並びに手指の数に基づき異なる命令を発生することもできる。例えば、手指認識モジュールが２本の指であると判断するキー、手書き入力及びマウスモード、マウスの左ボタンをクリックする機能を模擬し、手指認識モジュールが３本の指であると判断すると、マウスの右ボタンをクリックする機能を模擬する。
【００１４】
異なる実施例にあって、キーモード下での仮想キーエリアの配置は図２に示されるようなキーボードとされうる。
【００１５】
図２は本発明の応用例を示し、容量結合方式タッチパッド３０は図示されるような配置とされ、コンピュータキーボードとして使用される。
【００１６】
図３及び図４は本発明の容量結合方式タッチパッドに光源を組み合わせた状態を示し、光線不足の場合に適用される。図３は容量結合方式タッチパッドに応用されるパネルが透光とされる状況、例えばガラス材料とされる状況で、バックライト光源３２を使用してパネル１２の背後より該パネル１２を照射して文字或いはパターンを表示する。図４はフロントライト光源３４を使用し、パネル１２の前方よりパネル１２を照射し、パネル１２表面の文字或いはパターンを表示する。
【００１７】
一般の状況では、上述の説明及び図面中、キーの文字或いはパターンはパネル１２の絶縁板上に位置する。その他の変化或いは修飾もまた可能であるが、依然として本発明の精神より離脱しない。
【図面の簡単な説明】
【００１８】
【図１】本発明の容量結合方式タッチパッド及びそのキー、手書き入力及びマウスモード下での表示図である。
【図２】本発明をコンピュータキーボードに応用した実施例図である。
【図３】本発明の容量結合方式タッチパッドにバックライト光源を使用した表示図である。
【図４】本発明の容量結合方式タッチパッドにフロントライト光源を使用した表示図である。
【図５】容量結合方式タッチパッドの操作原理表示図である。
【符号の説明】
【００１９】
１０  タッチパッド
１２  パネル
１４  モード切り換えスイッチパターン
１６、１８、２０  仮想キーエリア
２４  パターン配置
２２  ディスプレイ
２６  パターン配置
２８  パターン配置
３０  容量結合方式タッチパッド
３２  バックライト光源
３４  フロントライト光源
【図１】
2004310732.tif 000003
【図２】
2004310732.tif 000004
【図３】
2004310732.tif 000005
【図４】
2004310732.tif 000006
【図５】
2004310732.tif 000007